(57)【要約】【課題】アンテナ間の共振周波数が異なることに起因する電力伝送効率の低下を低減することができるアンテナを提供する。【解決手段】本発明のアンテナは、誘電性基材３１０の第１面３１１に設けられる第１面導電部３３０と、前記誘電性基材３１０の第１面３１１に設けられると共に、前記第１面導電部３３０に連通するコンデンサ調整領域４１０と、前記誘電性基材３１０の第２面３１２に設けられる第２面導電部３５０と、前記誘電性基材３１０の第２面３１２に設けられると共に、前記第２面導電部３５０に連通するコンデンサ調整領域対応電極４０２と、を有することを特徴とする。【選択図】  図３
2013074684.tif 000002
【特許請求の範囲】
【請求項１】
誘電性基材の第１面に設けられる第１面導電部と、
前記誘電性基材の第２面に設けられると共に、前記第１面導電部の面積と異なる面積を有する第２面導電部と、からなることを特徴とするアンテナ。
【請求項２】
誘電性基材の第１面に設けられる第１面導電部と、
前記誘電性基材の第１面に設けられると共に、前記第１面導電部に連通するコンデンサ調整領域と、
前記誘電性基材の第２面に設けられる第２面導電部と、
前記誘電性基材の第２面に設けられると共に、前記第２面導電部に連通するコンデンサ調整領域対応電極と、
を有することを特徴とするアンテナ。
【請求項３】
前記導電部が渦巻きコイル状となっていることを特徴とする請求項１又は請求項２に記載のアンテナ。
【請求項４】
前記コンデンサ調整領域においては、導電性テープが貼着されることでコンデンサを構成する電極の面積を増大させることを特徴とする請求項２又は請求項３に記載のアンテナ。
【請求項５】
前記コンデンサ調整領域が、トリミング可能な電極から構成されることを特徴とする請求項２又は請求項３に記載のアンテナ。
【請求項６】
前記コンデンサ調整領域が、複数の単位導電部からなり、ジャンパ線により前記第１面導電部と前記単位導電部との間が導通されることでコンデンサを構成する電極の面積を増大させることを特徴とする請求項２又は請求項３に記載のアンテナ。
【請求項７】
前記コンデンサ調整領域が、トリミング可能な調整用切断部で導通された複数の単位導電部からなることを特徴とする請求項２又は請求項３に記載のアンテナ。
【発明の詳細な説明】
【技術分野】
【０００１】
本発明は、磁気共鳴方式のワイヤレス電力伝送システムに用いられ、電力の受電又は送電を行うアンテナに関する。
【背景技術】
【０００２】
近年、電源コードなどを用いることなく、ワイヤレスで電力（電気エネルギー）を伝送する技術の開発が盛んとなっている。ワイヤレスで電力を伝送する方式の中でも、特に注目されている技術として、磁気共鳴方式と呼ばれるものがある。この磁気共鳴方式は２００７年にマサチューセッツ工科大学の研究グループが提案したものであり、これに関連する技術は、例えば、特許文献１（特表２００９−５０１５１０号公報）に開示されている。
【０００３】
磁気共鳴方式のワイヤレス電力伝送システムは、送電側アンテナの共振周波数と、受電側アンテナの共振周波数とを同一とすることで、送電側アンテナから受電側アンテナに対し、効率的にエネルギー伝達を行うものであり、電力伝送距離を数十ｃｍ〜数ｍとすることが可能であることが大きな特徴の一つである。
【０００４】
上記のような磁気共鳴方式のワイヤレス電力伝送システムに用いるアンテナの具体的な構成についてもこれまでいくつか提案がされてきた。例えば、特許文献２（特開２０１０−７４９３７号公報）には、電源から電力を受けて送電を行なう送電コイルから電力を受電する非接触受電装置であって、前記送電コイルから送電された電力を電磁共鳴により受電する受電コイルと、前記受電コイルを内部に収容するコイルケースと、前記コイルケースの外部に配置され、前記受電コイルの共鳴周波数を調整するために前記受電コイルに電気的に接続されるコンデンサとを備える、非接触受電装置が開示されている。
【特許文献１】特表２００９−５０１５１０号公報
【特許文献２】特開２０１０−７４９３７号公報
【発明の概要】
【発明が解決しようとする課題】
【０００５】
従来の磁気共鳴方式のワイヤレス電力伝送システムで用いられているアンテナは、コイルと、このコイルに接続された調整用のコンデンサとからなる構造であった。磁気共鳴方式のワイヤレス電力伝送システムで電力伝送効率を向上させるためには、アンテナには高いＱ（Ｑａｕｌｉｔｙ  Ｆａｃｔｏｒ）が要求されるが、アンテナのＱを高くしようとすると、電力伝送時に前記コンデンサに高い電圧が印加されることとなり、コンデンサとしては耐電圧が高いものを用いる必要があった。しかしながら、高い耐電圧を有するコンデンサは高価であるために、これによりアンテナ、ひいてはワイヤレス電力伝送システムのコストが上昇してしまう、という問題があった。
【０００６】
そこで、このような問題に対処するために、発明者らは、誘電材料よりなる平板状の基材の一方の主面に第１のコイルを、そして、他方の主面に、主面を透過的にみたとき前記第１のコイルと重なる形状を有する第２のコイルと、からなるコンデンサ機能を含んだ安価なアンテナ構造を提案してきた。
【０００７】
ところで、送電アンテナの共振周波数と受電アンテナの共振周波数とが異なると、電力伝送効率が低下するが、上記のような提案構造のアンテナにおいては、製造上の誤差などにより、第１のコイルと第２のコイルの位置ずれが生じてしまうことがあり、これにより、個々のアンテナの共振周波数が想定値からずれてしまい、電力伝送効率が低下してしま
うことがある、という問題があった。
【課題を解決するための手段】
【０００８】
上記問題を解決するために、請求項１に係る発明は、誘電性基材の第１面に設けられる第１面導電部と、前記誘電性基材の第２面に設けられると共に、前記第１面導電部の面積と異なる面積を有する第２面導電部と、からなることを特徴とするアンテナである。
【０００９】
また、請求項２に係る発明は、誘電性基材の第１面に設けられる第１面導電部と、前記誘電性基材の第１面に設けられると共に、前記第１面導電部に連通するコンデンサ調整領域と、前記誘電性基材の第２面に設けられる第２面導電部と、前記誘電性基材の第２面に設けられると共に、前記第２面導電部に連通するコンデンサ調整領域対応電極と、を有することを特徴とするアンテナである。
【００１０】
また、請求項３に係る発明は、請求項１又は請求項２に記載のアンテナにおいて、前記導電部が渦巻きコイル状となっていることを特徴とする。
【００１１】
また、請求項４に係る発明は、請求項２又は請求項３に記載のアンテナにおいて、前記コンデンサ調整領域においては、導電性テープが貼着されることでコンデンサを構成する電極の面積を増大させることを特徴とする。
【００１２】
また、請求項５に係る発明は、請求項２又は請求項３に記載のアンテナにおいて、前記コンデンサ調整領域が、トリミング可能な電極から構成されることを特徴とする。
【００１３】
また、請求項６に係る発明は、請求項２又は請求項３に記載のアンテナにおいて、前記コンデンサ調整領域が、複数の単位導電部からなり、ジャンパ線により前記第１面導電部と前記単位導電部との間が導通されることでコンデンサを構成する電極の面積を増大させることを特徴とする。
【００１４】
また、請求項７に係る発明は、請求項２又は請求項３に記載のアンテナにおいて、前記コンデンサ調整領域が、トリミング可能な調整用切断部で導通された複数の単位導電部からなることを特徴とする。
【発明の効果】
【００１５】
本発明に係るアンテナにおいては、コンデンサ調整領域を用いることで、個々のアンテナの共振周波数を想定値通りとすることができるようになるので、このような本発明に係るアンテナによれば、アンテナ間の共振周波数が異なることに起因する電力伝送効率の低下を低減することができる。
【図面の簡単な説明】
【００１６】
【図１】本発明の実施形態に係るアンテナが用いられる電力伝送システムのブロック図である。
【図２】電力伝送システムのインバーター部を示す図である。
【図３】本発明の第１実施形態に係る受電アンテナ２０１を説明する図である。
【図４】本発明の第１実施形態に係る受電アンテナ２０１による電力伝送の様子を示す断面の模式図である。
【図５】本発明の第１実施形態に係る受電アンテナ２０１におけるコンデンサ調整領域を説明する図である。
【図６】送電アンテナ１０５と受電アンテナ２０１とを近接させたときの送電効率の周波数依存性例を示す図である。
【図７】第１極値周波数における電流と電界の様子を模式的に示す図である。
【図８】第２極値周波数における電流と電界の様子を模式的に示す図である。
【図９】２つの極値を与える極値周波数のうち磁気壁が生じる極値周波数（第１周波数）での特性を示す図である。
【図１０】２つの極値を与える極値周波数のうち電気壁が生じる極値周波数（第２周波数）での特性を示す図である。
【図１１】本発明の第２実施形態に係る受電アンテナ２０１におけるコンデンサ調整領域を説明する図である。
【図１２】本発明の第３実施形態に係る受電アンテナ２０１におけるコンデンサ調整領域を説明する図である。
【図１３】本発明の第４実施形態に係る受電アンテナ２０１におけるコンデンサ調整領域を説明する図である。
【図１４】本発明の第５実施形態に係る受電アンテナ２０１を説明する図である。
【図１５】本発明の第５実施形態に係る受電アンテナ２０１におけるコンデンサ調整領域を説明する図である。
【図１６】本発明の第６実施形態に係る受電アンテナ２０１におけるコンデンサ調整領域を説明する図である。
【発明を実施するための形態】
【００１７】
以下、本発明の実施形態を図面を参照しつつ説明する。図１は本発明の実施形態に係るアンテナが用いられる電力伝送システムのブロック図である。なお、本発明に係るアンテナは、電力伝送システムを構成する受電側のアンテナと送電側のアンテナのいずれにも適用可能であるが、以下の実施形態においては主として受電側のアンテナに本発明のアンテナを適用した例につき説明する。
【００１８】
本発明のアンテナが用いられる電力伝送システムとしては、例えば、電気自動車（ＥＶ）やハイブリッド電気自動車（ＨＥＶ）などの車両への充電のためのシステムが想定されている。電力伝送システムは、上記のような車両に対して電力を非接触で伝送するため、当該車両を停車させることが可能な停車スペースに設けられる。車両充電用のスペースである当該停車スペースには、送電アンテナ１０５などが地中部に埋設されるような構成となっている。車両のユーザーはこの電力伝送システムが設けられている停車スペースに車両を停車させて、車両に搭載されている受電アンテナ２０１と、前記送電アンテナ１０５とを対向させることによって電力伝送システムからの電力を受電する。車両を停車スペースに停車させる際には、車両搭載の受電アンテナ２０１が、送電アンテナ１０５に対して伝送効率が良い位置関係となるようにする。
【００１９】
電力伝送システムでは、電力伝送システム１００側の送電アンテナ１０５から、受電側システム２００側の受電アンテナ２０１へ効率的に電力を伝送する際、送電アンテナ１０５の共振周波数と、受電アンテナ２０１の共振周波数とを同一とすることで、送電側アンテナから受電側アンテナに対し、効率的にエネルギー伝達を行うようにする。
【００２０】
送電側システム１００におけるＡＣ／ＤＣ変換部１０１は、入力される商用電源を一定の直流に変換するコンバータである。このＡＣ／ＤＣ変換部１０１からの出力は高電圧発生部１０２において、所定の電圧に昇圧されたりする。この高電圧発生部１０２で生成される電圧の設定は主制御部１１０から制御可能となっている。
【００２１】
インバーター部１０３は、高電圧発生部１０２から供給される高電圧から所定の交流電圧を生成して、整合器１０４に入力する。図２は電力伝送システムのインバーター部を示す図である。インバーター部１０３は、例えば図２に示すように、フルブリッジ方式で接続されたＱA乃至ＱDからなる４つの電界効果トランジスタ（ＦＥＴ）によって構成されている。
【００２２】
本実施形態においては、直列接続されたスイッチング素子ＱAとスイッチング素子ＱBの間の接続部Ｔ１と、直列接続されたスイッチング素子ＱCとスイッチング素子ＱDとの間の接続部Ｔ２との間に整合器１０４が接続される構成となっており、スイッチング素子ＱA
とスイッチング素子ＱDがオンのとき、スイッチング素子ＱBとスイッチング素子ＱCがオ
フとされ、スイッチング素子ＱBとスイッチング素子ＱCがオンのとき、スイッチング素子ＱAとスイッチング素子ＱDがオフとされることで、接続部Ｔ１と接続部Ｔ２との間に矩形波の交流電圧を発生させる。なお、本実施形態においては、各スイッチング素子のスイッチングによって生成される矩形波の周波数の範囲は数１００ｋＨｚ〜数１０００ｋＨｚ程度である。
【００２３】
上記のようなインバーター部１０３を構成するスイッチング素子ＱA乃至ＱDに対する駆動信号は主制御部１１０から入力されるようになっている。また、インバーター部１０３を駆動させるための周波数は主制御部１１０から制御することができるようになっている。
【００２４】
整合器１０４は、所定の回路定数を有する受動素子から構成され、インバーター部１０３からの出力が入力される。そして、整合器１０４からの出力は送電アンテナ１０５に供給される。整合器１０４を構成する受動素子の回路定数は、主制御部１１０からの指令に基づいて調整することができるようになっている。主制御部１１０は、送電アンテナ１０５と受電アンテナ２０１とが共振するように整合器１０４に対する指令を行う。
【００２５】
送電アンテナ１０５は、インダクタンス成分を有するコイルから構成されており、対向するようにして配置される車両搭載の受電アンテナ２０１と共鳴することで、送電アンテナ１０５から出力される電気エネルギーを受電アンテナ２０１に送ることができるようになっている。
【００２６】
電力伝送システム１００の主制御部１１０はＣＰＵとＣＰＵ上で動作するプログラムを保持するＲＯＭとＣＰＵのワークエリアであるＲＡＭなどからなる汎用の情報処理部である。この主制御部１１０は、図示されている主制御部１１０と接続される各構成と協働するように動作する。
【００２７】
また、通信部１２０は車両側の通信部２２０と無線通信を行い、車両との間でデータの送受を可能にする構成である。通信部１２０によって受信したデータは主制御部１１０に転送され処理されるようになっている。また、主制御部１１０は所定情報を、通信部１２０を介して車両側に送信することができるようになっている。
【００２８】
次に、車両側に設けられている構成について説明する。車両の受電側のシステムにおいて、受電アンテナ２０１は、送電アンテナ１０５と共鳴することによって、送電アンテナ１０５から出力される電気エネルギーを受電するものである。このような受電アンテナ２０１は、車両の底面部に取り付けられるようになっている。
【００２９】
受電アンテナ２０１で受電された交流電力は、整流部２０２において整流され、整流された電力は充電制御部２０３を通してバッテリー２０４に蓄電されるようになっている。充電制御部２０３は主制御部２１０からの指令に基づいてバッテリー２０５の蓄電を制御する。また、充電制御部２０３はバッテリー２０４の残量管理なども行い得るように構成される。
【００３０】
主制御部２１０はＣＰＵとＣＰＵ上で動作するプログラムを保持するＲＯＭとＣＰＵのワークエリアであるＲＡＭなどからなる汎用の情報処理部である。この主制御部２１０は
、図示されている主制御部２１０と接続される各構成と協働するように動作する。
【００３１】
インターフェイス部２３０は、車両の運転席部に設けられ、ユーザー（運転者）に対し所定の情報などを提供したり、或いは、ユーザーからの操作・入力を受け付けたりするものであり、表示装置、ボタン類、タッチパネル、スピーカーなどで構成されるものである。ユーザーによる所定の操作が実行されると、インターフェイス部２３０から操作データとして主制御部２１０に送られ処理される。また、ユーザーに所定の情報を提供する際には、主制御部２１０からインターフェイス部２３０に対して、所定情報を表示するための表示指示データが送信される。
【００３２】
また、車両側の通信部２２０は送電側の通信部１２０と無線通信を行い、送電側のシステムとの間でデータの送受を可能にする構成である。通信部２２０によって受信したデータは主制御部２１０に転送され、また、主制御部２１０は所定情報を通信部２２０を介して送電システム側に送信することができるようになっている。
【００３３】
電力伝送システムで、電力を受電しようとするユーザーは、上記のような送電側のシステムが設けられている停車スペースに車両を停車させ、インターフェイス部２３０から充電を実行する旨の入力を行う。これを受けた主制御部２１０は、充電制御部２０３からのバッテリー２０５の残量を取得し、バッテリー２０５の充電に必要な電力量を算出する。算出された電力量と送電を依頼する旨の情報は、車両側の通信部２２０から送電側のシステムの通信部１２０に送信される。これを受信した送電側システムの主制御部１１０は高電圧発生部１０２、インバーター部１０３、整合器１０４を制御することで、車両側に電力を伝送するようになっている。
【００３４】
次に、以上のように構成される電力伝送システム１００で用いるアンテナの具体的な構成について説明する。以下、受電アンテナ２０１に本発明の構成を採用した例について説明するが、本発明のアンテナは送電アンテナ１０５に対しても適用し得るものである。
【００３５】
図３（Ａ）は本発明の第１実施形態に係る受電アンテナ２０１の分解斜視図であり、図３（Ｂ）はコイル体３００を形成する基材３１０の厚さ方向を誇張的に表現した図であり、図３（Ｃ）はＡ−Ａ’における断面の模式図である。また、図４は本発明の第１実施形態に係る受電アンテナ２０１による電力伝送の様子を示す断面の模式図である。
【００３６】
なお、以下の実施形態では、コイル体３００として矩形平板状のものを例に説明するが、本発明のアンテナはこのようなこのような形状のコイルに限定されるものではない。例えば、コイル体３００として円形平板状のものなども利用し得る。
【００３７】
このようなコイル体３００は、受電アンテナ２０１における磁気共鳴アンテナ部として機能する。磁気共鳴アンテナ部は、このコイル体３００のインダクタンス成分のみならず、誘電性基材３１０を誘電体とするコンデンサに基づくキャパシタンス成分をも含むものであり、その共振周波数はインダクタンス成分およびキャパシタンス成分により決定される。インダクタンス成分はコイル体３００の導電部の幅、巻き数、レイアウトにより決定され、キャパシタンス成分は誘電性基材３１０の誘電率、厚さ、誘電性基材３１０の両面に設けられる導電部の面積、及び両面の導電部間の位置関係により決定される。したがって、それらのパラメータを調整することにより、所望の磁気共鳴アンテナ部を構成することができる。なお、誘電性機材３１０の誘電正接は共振周波数において小さければ小さいほどロスの少ない高性能なアンテナを構成することができる。
【００３８】
樹脂ケース２６０は、受電アンテナ２０１のインダクタンス成分を有するコイル体３００を収容するために用いられるものである。この樹脂ケース２６０は、例えばポリカーボ
ネートなどの樹脂により構成される開口を有する箱体の形状をなしている。
【００３９】
樹脂ケース２６０の矩形状の底板部２６１の各辺からは側板部２６２が、前記底板部２６１に対して垂直方向に延在するようにして設けられている。そして、樹脂ケース２６０の上方においては、側板部２６２に囲まれるような上方開口部２６３が構成されている。樹脂ケース２６０を車両本体部に取り付けるためには、従来周知の任意の方法を用いることができる。なお、上方開口部２６３の周囲には、車両本体部への取り付け性を向上するために、フランジ部材などを設けるようにしても良い。
【００４０】
コイル体３００は、ポリカーボネート製の矩形平板状の誘電性基材３１０と、この表面側と裏面側に形成されている導電部及びコンデンサ調整領域により構成されている。より具体的には、誘電性基材３１０は主面として第１面３１１と、この第１面３１１と表裏の関係にある第２面３１２とを有しており、このうち第１面３１１に渦巻きコイル状の第１面導電部３３０、及び、第２面３１２に渦巻きコイル状の第２面導電部３５０がコイルとして形成されることで、受電アンテナ２０１にインダクタンス成分が付与される。
【００４１】
なお、本実施形態においては、第１面導電部３３０及び第２面導電部３５０を渦巻き状のコイルとして形成する例に基づいて説明するが、必要となるインダクタンス成分が確保することができるのであれば、渦巻き状のコイルに代えて、例えば線状の導電部を用いるようにしてもよい。
【００４２】
また、第１面導電部３３０と第２面導電部３５０とは、第１面３１１から第２面３１２に透過的にみたとき、第１面導電部３３０と第２面導電部３５０とは重なるように構成されており、第１面導電部３３０と第２面導電部３５０との間に挟まれている誘電性基材３１０がコンデンサとして機能することで、受電アンテナ２０１にキャパシタンス成分が付与される。
【００４３】
さらに、本実施形態に係る受電アンテナ２０１においては、誘電性基材３１０の第１面３１１において、第１面導電部３３０に連通するコンデンサ調整領域４００と、誘電性基材３１０の第２面３１２において、第２面導電部３５０に連通する第２面側のコンデンサ調整領域対応電極４０２と、が容量の調整が可能なコンデンサとして機能することで、受電アンテナ２０１に、さらなるキャパシタンス成分が付与される。
【００４４】
誘電性基材３１０上の第１面３１１において、渦巻き状のコイルを形成する第１面導電部３３０の内周側には第１面最内端部３３１が、また、外周側には第１面最外端部３３２がそれぞれ設けられている。
【００４５】
また、誘電性基材３１０上の第２面３１２において、渦巻き状のコイルを形成する第２面導電部３５０の内周側には第２面最内端部３５１が、また、外周側には第２面最外端部３５２がそれぞれ設けられている。
【００４６】
上記のような構成であるために、本実施形態に係るアンテナにおいては、誘電性基材３１０の第１面３１１に設けられる導電部の面積と、誘電性基材３１０の第２面３１２に設けられる導電部の面積とが異なっている。
【００４７】
導電線路２４１、導電線路２４２は受電アンテナ２０１と整流部２０２とを電気的に接続するものであり、このうち、導電線路２４１は第１面導電部３３０の第１面最外端部３３２と電気的に接続される。また、導電線路２４２は第２面導電部３５０の第２面最内端部３５１と電気的に接続される。これにより、受電アンテナ２０１によって受電した電力を整流部２０２へと導けるようになっている。このようなコイル体３００は樹脂ケース２
６０の矩形状の底板部２６１上に載置され、適当な固着手段によって底板部２６１上に固着される。
【００４８】
以上のような、本発明に係るアンテナにおいては、渦巻きコイル状の第１面導電部３３０と、第２面導電部３５０と間の誘電性基材３１０がコンデンサとして機能するので、このような構成の本発明に係るアンテナによれば、安価にアンテナ及びワイヤレス電力伝送システムを構成することが可能となる。また、前記誘電性基材３１０はコイルを形成するための基材となると共に、部品として独立したコンデンサを設ける必要がなくなるので、アンテナ、ワイヤレス電力伝送システムを軽量化することが可能となる。
【００４９】
次に、本発明に係るアンテナにおけるコンデンサ調整領域の利用方法について図５を参照して説明する。図５は本発明の第１実施形態に係る受電アンテナ２０１におけるコンデンサ調整領域を説明する図である。
【００５０】
図５（Ａ）は容量が調整されていない状態の第１面側コンデンサ調整領域４１０を示すものである。この第１面側コンデンサ調整領域４１０は、第１面導電部３３０に連通する中継導電部４１４と、この中継導電部４１４と垂直に、それぞれ所定距離をおいて対向配置される導電部である第１対向部４１５、第２対向部４１６とから構成されている。
【００５１】
図５（Ｂ）は上記のように構成される第１面側コンデンサ調整領域４１０を用いて、キャパシタンス成分を増大させる方法を図示している。導電テープ４１８は、例えば銅箔とこれに粘着成分が塗布されたテープであり、前記の粘着性部分においても導電性が確保されており、導電テープ４１８全体として導電性を有するものである。
【００５２】
上記のような導電テープ４１８を用いて、第１対向部４１５と第２対向部４１６との間を図５（Ｂ）に示すように短絡することで、第１面側コンデンサ調整領域４１０の導電部の面積を増大させることで、キャパシタンス成分を増大させることができる。
【００５３】
このように、本発明に係るアンテナにおいては、コンデンサ調整領域４００で、導電テープ４１８が貼着されることでコンデンサを構成する電極の面積を増大させて、キャパシタンス成分を増大させることができる。
【００５４】
以上、本発明に係るアンテナにおいては、コンデンサ調整領域４００を用いることで、個々のアンテナの共振周波数を想定値通りとすることができるようになるので、このような本発明に係るアンテナによれば、アンテナ間の共振周波数が異なることに起因する電力伝送効率の低下を低減することができる。
【００５５】
磁性シールド２８０は、中抜き部２８５を有する平板状の磁性部材である。この磁性シールド２８０を構成するためには、フェライトなどの磁性材料を用いることができる。磁性シールド２８０は、樹脂ケース２６０に対して適当な手段により固着されることで、コイル体３００の上方にある程度の空間を空けて配されるようになっている。このようなレイアウトにより、送電アンテナ１０５側で発生する磁力線は、磁性シールド２８０を透過する率が高くなり、送電アンテナ１０５から受電アンテナ２０１への電力伝送において、車両本体部を構成する金属物による磁力線への影響が軽微となる。
【００５６】
本発明に係るアンテナにおいては、コイル体３００の上方に配される平板状の磁性シールド２８０には、中抜き部２８５を設けることが好ましい。磁性シールド２８０に中抜き部２８５を設けることにより、磁性シールド２８０自体の損失が低減され、磁性シールド２８０のシールド効果を最大限に引き出すことが可能となる。また、中抜き部２８５を有する磁性シールド２８０においては、部材面積が少なくてすみ、アンテナのコスト低減が
可能となる。なお、中抜き部２８５の広さは、磁性シールド２８０自体とコイル体３００の導電部２７２（第１面導電部３３０、第２面導電部３５０）とが積層方向からみて重畳しなくならない程度の広さに留めることが好ましい。
【００５７】
図６は送電アンテナ１０５と受電アンテナ２０１とを近接させたときの送電効率の周波数依存性例を示す図である。
【００５８】
磁気共鳴方式のワイヤレス電力伝送システムにおいては、図６に示すように、第１極値周波数ｆm、第２極値周波数ｆeの２つがあるが、電力伝送を行うときには、これらのいずれかの周波数でこれを行うことが好ましい。
【００５９】
図７は第１極値周波数における電流と電界の様子を模式的に示す図である。第１極値周波数においては、送電アンテナ１０５のコイルに流れる電流と、受電アンテナ２０１のコイルに流れる電流とで位相が略等しくなり、磁界ベクトルが揃う位置が送電アンテナ１０５のコイルや受電アンテナ２０１のコイルの中央部付近となる。この状態を、送電アンテナ１０５と受電アンテナ２０１との間の対称面に対して磁界の向きが垂直となる磁気壁が生じているものとして考える。
【００６０】
また、図８は第２極値周波数における電流と電界の様子を模式的に示す図である。第２極値周波数においては、送電アンテナ１０５のコイルに流れる電流と、受電アンテナ２０１のコイルに流れる電流とで位相がほぼ逆となり、磁界ベクトルが揃う位置が送電アンテナ１０５のコイルや受電アンテナ２０１のコイルの対称面付近となる。この状態を、送電アンテナ１０５と受電アンテナ２０１との間の対称面に対して磁界の向きが水平となる電気壁が生じているものとして考える。
【００６１】
なお、以上のような電気壁や磁気壁などの概念に関しては、居村岳広、堀洋一「電磁界共振結合による伝送技術」ＩＥＥＪ  Ｊｏｕｒｎａｌ，Ｖｏｌ．１２９，Ｎｏ．７，２００９、或いは、居村岳広、岡部浩之、内田利之、堀洋一「等価回路から見た非接触電力伝送の磁界結合と電界結合に関する研究」ＩＥＥＪ  Ｔｒａｎｓ．ＩＡ，Ｖｏｌ．１３０，Ｎｏ．１，２０１０などに記載されているものを本明細書においては準用している。
【００６２】
本発明において、極値を与える周波数として、第１極値周波数、第２極値周波数の２つがある場合については、送電アンテナ１０５と受電アンテナ２０１との間の対称面に電気壁が生じる極値周波数を選定する理由について説明する。
【００６３】
図９は２つの極値を与える極値周波数のうち磁気壁が生じる極値周波数（第１周波数）での特性を示す図である。図９（Ａ）はバッテリー２０４（負荷）の負荷変化変動に伴う送電側の電圧（Ｖ1）、電流（Ｉ1）の変動の様子を示す図であり、図９（Ｂ）はバッテリー２０４（負荷）の負荷変化変動に伴う受電側の電圧（Ｖ3）、電流（Ｉ3）の変動の様子を示す図である。図９に示すような特性によれば、受電側でバッテリー２０４（負荷）の負荷増大と共に、電圧が増大する特性があることがわかる。
【００６４】
以上のような磁気壁が生じる周波数においては、バッテリー２０４側からみて受電アンテナ２０１が定電流源として見えるものである。このような受電アンテナ２０１が定電流源のように動作する周波数で、電力伝送を行った場合に、仮に負荷側であるバッテリー２０４などの不具合により緊急停止が起きたとすると、受電アンテナ２０１の両端部の電圧が上昇してしまうこととなる。
【００６５】
一方、図１０は２つの極値を与える極値周波数のうち電気壁が生じる極値周波数（第２周波数）での特性を示す図である。図１０（Ａ）はバッテリー２０４（負荷）の負荷変化
変動に伴う送電側の電圧（Ｖ1）、電流（Ｉ1）の変動の様子を示す図であり、図１０（Ｂ）はバッテリー２０４（負荷）の負荷変化変動に伴う受電側の電圧（Ｖ3）、電流（Ｉ3）の変動の様子を示す図である。図１０に示すような特性によれば、受電側でバッテリー２０４（負荷）の負荷増大と共に、電流が減少する特性があることがわかる。
【００６６】
以上のような電気壁が生じる周波数においては、バッテリー２０４側からみて受電アンテナ２０１が定電圧源として見えるものである。このような受電アンテナ２０１が定電圧源のように動作する周波数で、電力伝送を行った場合に、仮に負荷側であるバッテリー２０４などの不具合により緊急停止が起きたとしても、受電アンテナ２０１の両端部の電圧が上昇することはない。したがって、本発明に係る電力伝送システムによれば、負荷が急激に低下した際に電圧が高圧になることがなく、安定して電力伝送を行うことが可能となるのである。
【００６７】
図９の特性においては、受電側のバッテリー２０４（負荷）にとっては、充電回路が電流源として見えることとなり、図１０の特性においては、受電側のバッテリー２０４（負荷）にとっては、充電回路が電圧源として見えることとなる。負荷が増大することに伴い、電流が減少する図１０に示す特性の方が、バッテリー２０４（負荷）にとっては好ましいので、本実施形態においては、第１極値周波数、第２極値周波数の２つがある場合については、送電アンテナ１０５と受電アンテナ２０１との間の対称面に電気壁が生じる極値周波数を選定するようにしている。
【００６８】
このような本発明に係る電力伝送システムによれば、伝送効率の極値を与える周波数が２つ存在することがある場合でも、電力伝送時の最適な周波数を迅速に決定することができ、効率的な電力伝送を短時間で行うことが可能となる。
【００６９】
また、２つの極値を与える周波数が２つある場合に、送電アンテナ１０５と受電アンテナ２０１との間の対称面に電気壁が生じる極値周波数を選定すると、バッテリー２０４（負荷）にとって、充電回路が電圧源として見えるので、充電制御によりバッテリー２０４への出力が変動した際にインバータ部１３０の出力も伴って増減するために扱いやすい、というメリットがある。また、充電制御部２０３が緊急停止した際にも供給電力も自動的に最小化するため無駄な装置も必要ない。
【００７０】
また、２つの極値を与える周波数が２つある場合に、送電アンテナ１０５と受電アンテナ２０１との間の対称面に電気壁が生じる極値周波数を選定すると、充電制御部２０３からみて整流器２２０が電圧源として見えるので、充電制御によりバッテリー２０４への出力が変動した際に整流昇圧部１２０の出力も伴って増減するために扱いやすい、というメリットがある。また、充電制御部２０３が緊急停止した際にも供給電力も自動的に最小化するため無駄な装置も必要ない。
【００７１】
これに対して、２つの極値を与える周波数が２つある場合に、送電アンテナ１０５と受電アンテナ２０１との間の対称面に磁気壁が生じる極値周波数を選定すると、充電制御部２０３が出力を小さくした際に伴って供給電圧を制御する必要がありそのための通信手段や検知手段が必要となり、コストがかかることとなる。
【００７２】
次に、本発明の第２実施形態について説明する。第２実施形態はコイル体３００におけるコンデンサ調整領域４００の構造が第１実施形態と異なるのみであるので、以下、第２実施形態に特有なコンデンサ調整領域４００の構造について説明する。
【００７３】
図１１は本発明の第２実施形態に係る受電アンテナ２０１におけるコンデンサ調整領域を説明する図である。
【００７４】
図１１（Ａ）は容量が調整されていない状態の第１面側コンデンサ調整領域４１０を示すものである。この第１面側コンデンサ調整領域４１０は、第２面側のコンデンサ調整領域対応電極４０２と、誘電性基材３１０を介して第１面３１１に形成されているトリミング電極部４１９から構成されている。
【００７５】
図１１（Ｂ）は上記のように構成される第１面側コンデンサ調整領域４１０を用いて、キャパシタンス成分を低減させる方法を図示している。本実施形態においては、上記のようなトリミング電極部４１９を図１１（Ｂ）に示すように削りとることでトリミングして、導電部の面積を低減させることで、キャパシタンス成分を低減させることができる。
【００７６】
以上、他の実施形態に係るアンテナにおいては、コンデンサ調整領域４００を用いることで、個々のアンテナの共振周波数を想定値通りとすることができるようになるので、このような本発明に係るアンテナによれば、アンテナ間の共振周波数が異なることに起因する電力伝送効率の低下を低減することができる。
【００７７】
次に、本発明の第３実施形態について説明する。第３実施形態はコイル体３００におけるコンデンサ調整領域４００の構造が第１実施形態と異なるのみであるので、以下、第３実施形態に特有なコンデンサ調整領域４００の構造について説明する。
【００７８】
図１２は本発明の第３実施形態に係る受電アンテナ２０１におけるコンデンサ調整領域を説明する図である。
【００７９】
図１２（Ａ）は容量が調整されていない状態の第１面側コンデンサ調整領域４１０を示すものである。この第１面側コンデンサ調整領域４１０は、第１面導電部３３０と独立して構成される連結用電極４２１が設けられた複数の単位導電部４２０から構成されている。
【００８０】
図１２（Ｂ）は上記のように構成される第１面側コンデンサ調整領域４１０を用いて、キャパシタンス成分を増大させる方法を図示している。本実施形態においては、上記のような複数の単位導電部４２０における連結用電極４２１を第１面導電部３３０とジャンパ線４２５で導通させたり、単位導電部４２０同士をジャンパ線４２５で導通させたりすることで、導電部の面積を増大させ、キャパシタンス成分を増大させる。
【００８１】
以上、他の実施形態に係るアンテナにおいても、コンデンサ調整領域４００を用いることで、個々のアンテナの共振周波数を想定値通りとすることができるようになるので、このような本発明に係るアンテナによれば、アンテナ間の共振周波数が異なることに起因する電力伝送効率の低下を低減することができる。
【００８２】
次に、本発明の第４実施形態について説明する。第４実施形態はコイル体３００におけるコンデンサ調整領域４００の構造が第１実施形態と異なるのみであるので、以下、第４実施形態に特有なコンデンサ調整領域４００の構造について説明する。
【００８３】
図１３は本発明の第４実施形態に係る受電アンテナ２０１におけるコンデンサ調整領域を説明する図である。
【００８４】
図１３（Ａ）は容量が調整されていない状態の第１面側コンデンサ調整領域４１０を示すものである。この第１面側コンデンサ調整領域４１０は、第１面導電部３３０と、調整用切断部４３１によって導電接続されている複数の単位導電部４３０から構成されている。
【００８５】
図１３（Ｂ）は上記のように構成される第１面側コンデンサ調整領域４１０を用いて、キャパシタンス成分を低減させる方法を図示している。本実施形態においては、上記のような調整用切断部４３１を図１３（Ｂ）に示すように削りとることでトリミングして、所定数の単位導電部４３０を第１面導電部３３０から電気的に切り離すことで、コンデンサとしての導電部の面積を低減させることで、キャパシタンス成分を低減させることができる。
【００８６】
以上、このような他の実施形態に係るアンテナによっても、これまで説明した実施形態と同様の効果を享受することができる。
【００８７】
次に、本発明の第５実施形態について説明する。第５実施形態はコイル体３００におけるコンデンサ調整領域４００の構造が第１実施形態と異なるのみであるので、以下、第５実施形態に特有なコンデンサ調整領域４００の構造について説明する。
【００８８】
図１４は本発明の第５実施形態に係る受電アンテナ２０１を説明する図であり、また、図１５は本発明の第５実施形態に係る受電アンテナ２０１におけるコンデンサ調整領域を説明する図である。
【００８９】
図１５（Ａ）は容量が調整されていない状態の第１面側コンデンサ調整領域４１０を示すものである。この第１面側コンデンサ調整領域４１０は、第１面導電部３３０と、直列に接続されている単位導電部４４０と、単位導電部４４０間を同じく直列に接続する調整用切断部４４１とから構成されている。単位導電部４４０は複数設けられており、段階的に第１面側コンデンサ調整領域４１０のキャパシタンス成分を調整することができるようになっている。また、単位導電部４４０と調整用切断部４４１とは、図１４に示すように、誘電性基材３１０を介して、第２面側のコンデンサ調整領域対応電極４０２と対向している。
【００９０】
図１５（Ｂ）は上記のように構成される第１面側コンデンサ調整領域４１０を用いて、キャパシタンス成分を低減させる方法を図示している。本実施形態においては、上記のような調整用切断部４３４１を図１５（Ｂ）に示すように削りとることでトリミングして、所定数の単位導電部４４０第１面導電部３３０から電気的に切り離すことで、コンデンサとしての導電部の面積を低減させることで、キャパシタンス成分を低減させることができる。
【００９１】
以上、このような他の実施形態に係るアンテナによっても、これまで説明した実施形態と同様の効果を享受することができる。
【００９２】
次に、本発明の第６実施形態について説明する。第６実施形態はコイル体３００におけるコンデンサ調整領域４００の構造が第５実施形態と異なるのみであるので、以下、第６実施形態に特有なコンデンサ調整領域４００の構造について説明する。
【００９３】
図１６は本発明の第６実施形態に係る受電アンテナ２０１におけるコンデンサ調整領域を説明する図である。
【００９４】
図１６（Ａ）は容量が調整されていない状態の第１面側コンデンサ調整領域４１０を示すものである。この第１面側コンデンサ調整領域４１０は、第１面導電部３３０と独立して構成される連結用電極４５１が設けられた複数の単位導電部４５０から構成されている。
【００９５】
図１６（Ｂ）は上記のように構成される第１面側コンデンサ調整領域４１０を用いて、キャパシタンス成分を増大させる方法を図示している。本実施形態においては、上記のような複数の単位導電部４５０における連結用電極４５１を第１面導電部３３０とジャンパ線４５５で導通させたり、単位導電部４５０同士をジャンパ線４５５で導通させたりすることで、導電部の面積を増大させ、キャパシタンス成分を増大させる。
【００９６】
以上、本発明に係るアンテナにおいても、コンデンサ調整領域４００を用いることで、個々のアンテナの共振周波数を想定値通りとすることができるようになるので、このような本発明に係るアンテナによれば、アンテナ間の共振周波数が異なることに起因する電力伝送効率の低下を低減することができる。
【符号の説明】
【００９７】
１００・・・電力伝送システム
１０１・・・ＡＣ／ＤＣ変換部
１０２・・・高電圧発生部
１０３・・・インバーター部
１０４・・・整合器
１０５・・・送電アンテナ
１１０・・・主制御部
１２０・・・通信部
２０１・・・受電アンテナ
２０２・・・整流部
２０３・・・充電制御部
２０４・・・バッテリー
２１０・・・主制御部
２２０・・・通信部
２３０・・・インターフェイス部
２４１・・・導電線路、
２４２・・・導電線路、
２６０・・・樹脂ケース
２６１・・・底板部
２６２・・・側板部
２６３・・・上方開口部
２８０・・・磁性シールド
２８５・・・中抜き部
３００・・・コイル体
３１０・・・誘電性基材
３１１・・・第１面
３１２・・・第２面
３３０・・・第１面導電部
３３１・・・第１面最内端部
３３２・・・第１面最外端部
３５０・・・第２面導電部
３５１・・・第２面最内端部
３５２・・・第２面最外端部
４００・・・コンデンサ調整領域
４０２・・・（第２面側）コンデンサ調整領域対応電極
４１０・・・第１面側コンデンサ調整領域
４１４・・・中継導電部
４１５・・・第１対向部
４１６・・・第２対向部
４１８・・・導電テープ
４１９・・・トリミング電極部
４２０・・・単位導電部
４２１・・・連結用電極
４２５・・・ジャンパ線
４３０・・・単位導電部
４３１・・・調整用切断部
４４０・・・単位導電部
４４１・・・調整用切断部
４５０・・・単位導電部
４５１・・・連結用電極
４５５・・・ジャンパ線
【図１】
2013074684.tif 000003
【図２】
2013074684.tif 000004
【図３】
2013074684.tif 000005
【図４】
2013074684.tif 000006
【図５】
2013074684.tif 000007
【図６】
2013074684.tif 000008
【図７】
2013074684.tif 000009
【図８】
2013074684.tif 000010
【図９】
2013074684.tif 000011
【図１０】
2013074684.tif 000012
【図１１】
2013074684.tif 000013
【図１２】
2013074684.tif 000014
【図１３】
2013074684.tif 000015
【図１４】
2013074684.tif 000016
【図１５】
2013074684.tif 000017
【図１６】
2013074684.tif 000018